(57)【要約】【課題】雨水浸入防止のための専用部品を設けることなく、ファンとベルマウスが氷で結合されるのを防止し、しかも省エネ性能の低下も防止する。【解決手段】空気調和機の室外機１は、熱交換器６と、熱交換器に通風するためのファン７と、ファンの外周方向に設けられたベルマウス１０と、該ベルマウスを設けるための前カバ４と、前記ベルマウスの前面側に設けられた吹出しグリル５とを備える。  前記ベルマウスは、ファンの外周を覆い軸方向に延びるダクト部１０Ａを備え、前記ダクト部の少なくとも一部は、前記前カバと前記吹出しグリルとの間に形成される隙間１１よりも前方側に突出する構成としている。【選択図】図１
2015224825.tif 000002
【特許請求の範囲】
【請求項１】
熱交換器と、熱交換器に通風するためのファンと、ファンの外周方向に設けられたベルマウスと、該ベルマウスを設けるための前カバと、前記ベルマウスの前面側に設けられた吹出しグリルとを備える空気調和機の室外機において、
前記ベルマウスは、ファンの外周を覆い軸方向に延びるダクト部を備え、
前記ダクト部の少なくとも一部は、前記前カバと前記吹出しグリルとの間に形成される隙間よりも前方側に突出する構成とした
ことを特徴とする空気調和機の室外機。
【請求項２】
請求項１に記載の空気調和機の室外機において、
前記ベルマウスは、前記ファンの上流側に延びる第１のダクト部と、この第１のダクト部の上流側から折り返されて下流側に延び前記前カバより前方側まで突出する第２のダクト部とを有することを特徴とする空気調和機の室外機。
【請求項３】
請求項２に記載の空気調和機の室外機において、
前記第２ダクト部の上流側端部は、折り返し部を介して前記第１のダクト部と接続され、前記折り返し部は上流側に向かうに連れて径方向に広がるＲ形状部に構成されていることを特徴とする空気調和機の室外機。
【請求項４】
請求項２に記載の空気調和機の室外機において、
前記第２のダクト部の下流側端部は、下流側に向かうに連れて径方向に広がるＲ形状部に構成されていることを特徴とする空気調和機の室外機。
【請求項５】
請求項２に記載の空気調和機の室外機において、
前記第１のダクト部は、前記ファンの上流側に向かうに連れて前記ファンに近付くように傾斜する傾斜部に構成されていることを特徴とする空気調和機の室外機。
【請求項６】
請求項１に記載の空気調和機の室外機において、
前記ベルマウスは、前記前カバから前記ファンの軸方向下流側に延びる第１のダクト部と、この第１のダクト部の下流側から折り返されて上流側に延びる第２のダクト部とを有することを特徴とする空気調和機の室外機。
【請求項７】
請求項６に記載の空気調和機の室外機において、
前記第２のダクト部の下流側端部は、折り返し部を介して前記第１のダクト部と接続され、前記折り返し部は下流側に向かうに連れて径方向に広がるＲ形状部に構成され、前記第２ダクト部の上流側端部は、上流側に向かうに連れて径方向に広がるＲ形状部に構成されていることを特徴とする空気調和機の室外機。
【請求項８】
請求項２〜７の何れか１項に記載の空気調和機の室外機において、
前記第１のダクト部と前記第２のダクト部とは一体に形成されていることを特徴とする空気調和機の室外機。
【請求項９】
請求項１〜８の何れか１項に記載の空気調和機の室外機において、
前記前カバと前記ベルマウスが一体部品として形成されていることを特徴とする空気調和機の室外機。
【請求項１０】
請求項１〜８の何れか１項に記載の空気調和機の室外機において、
前記ベルマウスは、前記前カバとは別部品で構成され、前記前カバに取り付けられていることを特徴とする空気調和機の室外機。
【発明の詳細な説明】
【技術分野】
【０００１】
本発明は空気調和機の室外機に係り、特にファンの周りにベルマウスを備え、冬季の降雨時などに前記ベルマウスとファンとの間に氷結が生じるのを防止するようにしたものに関する。
【背景技術】
【０００２】
ファンの周りにベルマウスを備え、冬季の降雨時などに前記ベルマウスとファンとの間に氷結が生じるのを防止するようにした従来技術としては、特開２０１１−２１６７号公報（特許文献１）や特開２００９−２５７６０３号公報（特許文献２）に記載のものなどがある。
【０００３】
上記特許文献１のものでは、庇部材を設けることにより、ファンとベルマウス間に水滴が流れ込むのを防止して水滴等が氷結するのを防止している。また、上記特許文献２のものではファンガードの金属線材にシール部材を嵌装させることにより、水滴がベルマウス内に浸入するのを防止するようにしている。  
上記従来技術のものでは、何れのものも、ベルマウスとファンを氷結させないように、庇部材やシール部材などの雨水浸入防止部品を設けているものである。
【先行技術文献】
【特許文献】
【０００４】
【特許文献１】特開２０１１−２１６７号公報
【特許文献２】特開２００９−２５７６０３号公報
【発明の概要】
【発明が解決しようとする課題】
【０００５】
冬季における降雨時において、空気調和機の室外機が停止している状態にあると、次のような問題が発生する。  
即ち、室外機からの風が吹出される吹出しグリルと、室外機の正面パネルを構成する前カバの隙間から雨水が浸入し、ベルマウスとファンの間まで流入すると、その位置で氷柱として成長し、やがてファンとベルマウスを氷で結合（氷結）してしまう。このような氷結が生じると、空気調和機の運転開始時に、ファンが回転しなかったり、ファンが樹脂製だと割れてしまうという問題が発生する。
【０００６】
この氷結による問題は、特に、冬季の朝方に氷点下になる地方では一般的に発生するため、空気調和機の室外機には、種々の対策が講じられている。その代表的な対策としては、上述した特許文献１や特許文献２に記載されたものがある。  
しかし、従来の氷結による問題の対策手段としては、上記特許文献１や特許文献２に記載されているように、雨水がベルマウスとファンの位置まで浸入しないように、専用部品としての雨水浸入防止部品を設けているものが一般的である。
【０００７】
しかし、従来の空気調和機の室外機においては、雨水浸入防止のための専用部品を設ける必要があるため、コストアップするという課題がある。  
また、空気調和機の室外機は、省エネ化も重要な課題であり、そのために最近ではダクト部を有するベルマウス（ダクト型ベルマウス）が使用されるようになってきている。しかし、ベルマウスのダクト部とファンの位置に雨水が浸入するのを防止するため、ベルマウスのダクト部を廃止したり、或いはダクト部を短くすると、省エネ性能が低下する課題がある。
【０００８】
本発明の目的は、雨水浸入防止のための専用部品を設けることなく、ファンとベルマウスが氷で結合されるのを防止し、しかも省エネ性能の低下も防止することのできる空気調和機の室外機を得ることにある。
【課題を解決するための手段】
【０００９】
上記目的を達成するために、本発明は、熱交換器と、熱交換器に通風するためのファンと、ファンの外周方向に設けられたベルマウスと、該ベルマウスを設けるための前カバと、前記ベルマウスの前面側に設けられた吹出しグリルとを備える空気調和機の室外機において、前記ベルマウスは、ファンの外周を覆い軸方向に延びるダクト部を備え、前記ダクト部の少なくとも一部は、前記前カバと前記吹出しグリルとの間に形成される隙間よりも前方側に突出する構成としたことを特徴とする。
【発明の効果】
【００１０】
本発明によれば、雨水浸入防止のための専用部品を設けることなく、ファンとベルマウスが氷で結合されるのを防止でき、しかも省エネ性能の低下も防止することができる空気調和機の室外機を得ることができる効果がある。
【図面の簡単な説明】
【００１１】
【図１】本発明の空気調和機の室外機の実施例１を示す横断面図。
【図２】図１に示す室外機の概略構成を示す外観斜視図。
【図３】従来の空気調和機の室外機を示す横断面図。
【図４】図３に示すベルマウスとファンとが氷結する様子を説明する要部拡大図。
【図５】図３に示す室外機におけるベルマウスとファンとの氷結防止構造を説明する要部拡大図。
【図６】従来の空気調和機の室外機の他の例を説明する要部拡大図。
【図７】図１に示す実施例１におけるベルマウスとファンとの氷結防止構造を説明する要部拡大図。
【図８】本発明の空気調和機の室外機の実施例２を示す図で、図７に相当する図。
【図９】本発明の空気調和機の室外機の実施例３を示す図で、図７に相当する図。
【図１０】本発明の空気調和機の室外機の実施例４を示す図で、図７に相当する図。
【図１１】本発明の空気調和機の室外機の実施例５を示す図で、図７に相当する図。
【発明を実施するための形態】
【００１２】
以下、本発明の空気調和機の室外機の具体的実施例を図面を用いて説明する。各図において、同一符号を付した部分は同一或いは相当する部分を示している。
【実施例１】
【００１３】
本発明の空気調和機の室外機の実施例１を図１、図２及び図７により説明する。なお、本実施例１の説明にあたっては、図３〜図６に示す従来の室外機と対比しながら説明する。
まず、図１及び図２により、本実施例１の室外機の全体構成を説明する。図１は本実施例１を示す横断面図、図２は図１に示す室外機の概略構成を示す外観斜視図である。
【００１４】
図１において、１は空気調和機の室外機で、この室外機１は、底ベース２、上カバ３、前カバ（前パネル）４、この前カバ４の前面に取り付けられた吹出しグリル５、前記底ベース２と前記上カバ３との間の背面側に設けられた熱交換器６、該熱交換器６に通風するためのファン（プロペラファン）７、該ファン７を駆動するためのモータ８、該モータ８を取り付けるためのモータクランプ９、前記ファン７の外周方向に設けられ前記前カバ４に設けられたベルマウス１０などにより構成されている。
【００１５】
前記ベルマウス１０は、プレスを用いた板金加工などにより、前記前カバ４と一体部品として形成されている。なお、このベルマウス１０を、前カバ４とは別部品とし、ねじなどで取り付けるようにしても良い。また、このベルマウス１０は、ファン７の羽根７ａの外周部に対向してファン７を周方向に覆い軸方向に延びるダクト部１０Ａを備えており、このダクト部１０Ａの一部は前記前カバ４と前記吹出しグリル５との間に形成される隙間１１よりも前方側（送風方向Ａ側）に突出する構成としている。
【００１６】
また、前記ダクト部１０Ａは、前記ファン７の上流側に延びる第１のダクト部１０ａと、この第１のダクト部１０ａの上流側から折り返し部１０ｃで折り返されて下流側に延び、前記前カバ４より前方側まで突出する第２のダクト部（突出ダクト部）１０ｂとを有する。即ち、前記第２ダクト部１０ｂの上流側端部は、前記折り返し部１０ｃを介して前記第１のダクト部１０ａと接続され、前記折り返し部１０ｃは上流側に向かうに連れて径方向に広がるＲ形状部に構成されている。また、前記第１のダクト部１０ａ、前記第２のダクト部１０ｂ及び前記折り返し部１０ｃとは一体に形成されている。
【００１７】
前記吹出しグリル５は、前記ベルマウス１０の前面側に設けられている。  
図２は図１に示す室外機の概略構成を示す外観斜視図である。図２に示す吹出しグリル５の前面は格子状など通風可能な構成となっているが、図２ではその図示を省略している。
【００１８】
次に、図３〜図６を用いて従来の空気調和機の室外機の構成を説明する。図３は従来の室外機を示す横断面図、図４は図３に示すベルマウスとファンとが氷結する様子を説明する要部拡大図で、図３のＢ部拡大図、図５は図３に示す室外機におけるベルマウスとファンとの氷結防止構造を説明する要部拡大図、図６は従来の室外機の他の例を説明する要部拡大図である。
【００１９】
まず、図３により従来の空気調和機の室外機の構成を説明する。図３に示す従来の室外機も図１に示す本実施例１の室外機の構成と基本構成は同じであり、同一部分には同一符号を付してその説明を省略する。図３に示す従来の室外機が図１に示す本実施例１の室外機と異なるのはベルマウスの構成である。図３に示す従来の室外機１のベルマウス２１も、ファン７の羽根７ａの外周部に対向してファン７を周方向に覆い軸方向に延びるダクト部２１Ａを備えるダクト型ベルマウスとなっている。
【００２０】
但し、このダクト部２１Ａの構成は、図３のＢ部拡大図である図４に示すように、前カバ４から前記ファン７の上流側に延び前記羽根７ａとの隙間を大きく形成した第１のダクト部２１ａと、この第１のダクト部２１ａよりも前記羽根７ａに接近して更に前記ファン７の上流側に延びる第２のダクト部２１ｂと、前記第１のダクト部２１ａと前記第２のダクト部２１ｂを接続する段差部２１ｃにより構成されている。また、前記第２のダクト部２１ｂの上流側端部には径方向に広がるＲ形状部２１ｄが形成されている。
【００２１】
このように、図４に示す従来の室外機１におけるベルマウス２１の構成は、羽根７ａとの隙間を大きく形成した第１ダクト部２１ａと、羽根７ａとの隙間を小さくした前記第２ダクト部２１ｂを設けているが、前記第２ダクト部２１ｂとファン７との小さい隙間に雨水３１が浸入して氷結３２が発生するという課題がある。
【００２２】
このベルマウスとファンとが氷結する様子を図４により説明する。冬季降雨時に空気調和機が停止中であると、雨水３１は上カバ３に付着して溜まる。やがてその雨水は上カバ３に溜まりきれなくなり、該上カバ３から溢れ出して、前カバ４を伝わり吹出しグリル５まで流れていく。前カバ４と吹出しグリル５の間には隙間１１があるため、前記雨水３１はこの隙間１１を通って前カバ４の下方に流れ、前カバ４に接続されている前記ベルマウス２１の部分まで伝わっていく。
【００２３】
前記ベルマウス２１まで伝わり流れてきた雨水３１は、前記第１ダクト部２１ａから前記段差部２１ｃを伝わって、第２ダクト部２１ｂまで浸入する。その雨水は、例えば冬季朝方の冷え込んだときに氷柱となり成長し、ベルマウス２１の第２ダクト部２１ｂに対向するファン７の羽根７ａと結合して氷結（氷３２）に至る。この氷結した状態で、空気調和機の運転が開始されると、前記ファン７は氷でロックされているため、回転しない、或いはファン７が樹脂製だと羽根７ａが割れてしまうような問題が発生する。
【００２４】
なお、前カバ４と吹出しグリル５との間に前記隙間１１が形成されている理由は、空気調和機の運転中の微振動で前カバ４と吹出しグリル５が接触して生じるビビリ音を抑制するためである。即ち、図示はしてないが、吹出しグリル５は前カバ４に固定（ねじ止め等）する部分だけ接触されており、その部分以外は前カバ４と吹出しグリル５との間に隙間１１が設けられている。
【００２５】
上述した図３、図４に示すような従来の空気調和機の室外機のものでは、雨水３１が前記隙間１１を通って前記ベルマウス２１の部分まで浸入しないようにするため、図５に示すように、前カバ４と吹出しグリル５の間にパッキン２２を設けるようにしている。このようなパッキン２２を設けることにより、ベルマウス２１への雨水３１の浸入を防止でき、ベルマウス２１とファン７が氷結に至るのを防止することができる。現在の空気調和機の室外機では、このような雨水浸入防止のための専用部品が一般的に設けられているが、専用部品が必要なため、コストアップする課題がある。更に、図３〜図５に示す構造では、前記第１ダクト部２１ａの上流側に前記第２ダクト部２１ｂを設けているため、前記第１ダクト部２１ａの分だけ羽根との隙間を小さくした第２ダクト部２１ｂの長さが短くなり、省エネ性能を向上することが難しい。
【００２６】
図６は従来の空気調和機の室外機の他の例を説明する要部拡大図で、上記図４や図５に相当する図である。この図６に示す従来の室外機も、図１に示す本実施例１の室外機や図３〜図５に示す室外機と基本構成は同じであり、同一部分には同一符号を付してその説明を省略する。図６に示す従来の室外機では、ベルマウスの形状が上記図４や図５に示したものとは異なる構成となっている。
【００２７】
即ち、図６に示す室外機１において、４１がベルマウスで、このベルマウス４１はダクト部の無いダクトレス形状としているものである。このような従来のベルマウス４１は上述した図３〜図５に示すベルマウス２１より更に旧型のベルマウス構造である。
【００２８】
図６に示すベルマウス４１は、前カバ４の部分から下流側に向かって突き出るように形成されており、ダクト部は無く、Ｒ形状部４１ａのみである。このベルマウス４１は前カバ４から下流側に突き出ているため、隙間１１から雨水が浸入しても室内機１の内部（ベルマウス４１の上流側）まで雨水が浸入することはほとんどない。また、仮に雨水が室内機１の内部にまで浸入したとしても、図６に示すベルマウス４１の構造であれば、ファン７の羽根７ａと軸方向にほとんどラップしないため、ベルマウス４１とファン７とが氷結する可能性は低い。
【００２９】
ところで、図３〜図５で説明した従来のダクト型ベルマウス２１は空気調和機の室外機１における送風系の省エネ化のために開発されたもので、ファン７の羽根７ａ外周部に対向するダクト部２１Ａを設けることにより、省エネ性能を向上させるようにしたものである。
【００３０】
しかし、図６に示す従来のベルマウス４１では、ダクト部を備えていないので、室外機１における送風系の省エネ化は望めない。即ち、図６に示すベルマウス４１の構造では、氷結を防ぐことはできるが、省エネ性能は低いものである。
【００３１】
これに対し、図１で説明した本発明の実施例１における室外機１では、雨水浸入防止のための専用部品を設けることなく、ファンとベルマウスが氷で結合されるのを防止し、しかも省エネ性能も向上できるようにしている。以下、本実施例１における室外機１の構成を図７により詳細に説明する。図７は図１に示すベルマウスとファンとの氷結防止構造を説明する要部拡大図で、上記図４に相当する図である。
【００３２】
図７に示すように、ベルマウス１０は、ファン７の羽根７ａの外周部に対向してファン７を周方向に覆い軸方向に延びるダクト部１０Ａを備えており、このダクト部１０Ａは、上流側に延びる第１のダクト部１０ａと、この第１のダクト部１０ａの上流側から折り返し部１０ｃで折り返されて下流側に延び、前記前カバ４より前方側まで突出する第２のダクト部１０ｂとを備えている。また、前記折り返し部１０ｃは上流側に向かうに連れて径方向に広がるＲ形状部に構成されており、これによりファン性能を向上させるようにしている。
【００３３】
このように、本実施例１におけるダクト部１０Ａは、その一部が前カバ４と吹出しグリル５との間に形成される隙間１１よりも前方側に突出する構成としているので、上カバ３から前カバ４に伝わった雨水３１は前カバ４と吹出しグリル５の隙間１１を通ってベルマウス１０にまで到達しても、雨水３１が溜まり、氷３２ができる場所は、図７に示すように、ベルマウス１０を形成する第１ダクト部１０ａと第２ダクト部１０ｂとの間となる。このため、ベルマウス１０とファン７の羽根７ａとが氷結するのを防止できる。
【００３４】
また、本実施例では、ファン７の羽根７ａの外周部に対向して第２ダクト部１０ｂが配置され、この第２ダクト部１０ｂは軸方向に必要十分な長さに構成できるため、室外機１の送風系の省エネ性能も向上することができる。
【００３５】
また、本実施例では、図５に示す従来の室外機１のように、氷結防止のためのパッキン２２など、雨水浸入防止のための専用部品を設ける必要もないので、専用部品を製作するためのコスト及びそれを組み立てるための組立コストの低減を図ることができる。
【００３６】
以上説明したように、本実施例の空気調和機の室外機は、送風系の省エネ性能を犠牲にしないで、省エネ性能を向上しつつ、ベルマウス１０とファン７との氷結を防止することができる。従って、ファン７の回転が阻止されるのを防止でき、また樹脂製ファンを使用してもその破損を防止することができる効果が得られ、更に雨水浸入防止のための専用部品を設ける必要もないので、室外機１の低コスト化も図ることができる。
【実施例２】
【００３７】
図８は本発明の空気調和機の室外機の実施例２を示す図で、図７に相当する図であり、ベルマウス周りの図である。また、図８において、図１、図２及び図７に示した上記実施例１と同一符号を付した部分は同一或いは相当する部分であり、同一部分についての説明は省略する。
【００３８】
図８に示す実施例は、ベルマウス１０の第２のダクト部（突出ダクト部）１０ｂにおける下流側端部を、下流側（吹出し側）に向かうに連れて径方向に広がる（径が大きくなる）ようにＲを付けたＲ形状部１０ｄに構成したものである。このＲ形状部１０ｄは、前記第２ダクト部１０ｂにおける前カバ４よりも前方に突出した部分に形成されている。
【００３９】
本実施例２によれば、上記実施例１と同様の効果が得られると共に、図７に示した実施例１と比較して、前記Ｒ形状部１０ｄがあることにより、雨水がベルマウス１０の上流側（室外機１の内部側）に、より浸入し難くなり、ベルマウス１０とファン７とが氷結するのをより確実に防止できる。  
また、折り返し部１０ｃがＲ形状部となっているだけでなく、第２ダクト部１０ｂの下流側端部もＲ形状部１０ｄに形成されているので、空気を滑らかに流すことができ、室外機１の送風系の省エネ性能もより一層向上することができる。
【実施例３】
【００４０】
図９は本発明の空気調和機の室外機の実施例３を示す図で、図７や図８に相当する図であり、ベルマウス周りの図である。また、図９において、図１、図２及び図７、図８に示した上記実施例１、２と同一符号を付した部分は同一或いは相当する部分であり、同一部分についての説明は省略する。
【００４１】
図９に示す実施例３は、上述した実施例１、２に対して、前カバ４の位置を上流側に移動させ、ファン７の軸方向略中央部の外径側に位置させている。また、ベルマウス１０のダクト部１０Ａは、上記実施例２と同様に、第１のダクト部１０ａ、第２のダクト部１０ｂ、Ｒ形状部に形成された折り返し部１０ｃ及び第２のダクト部１０ｂ下流側端部に形成されたＲ形状部１０ｄを備えている。
【００４２】
本実施例３では、前記第１のダクト部１０ａは、前記ファン７の上流側に向かうに連れて前記ファン７に近付くように傾斜する傾斜部に構成されている。また、前記第２のダクト部１０ｂはファン７の外周面に沿って軸方向に配置され、前カバ４よりも下流側に大きく突出している。即ち、ベルマウス１０及びファン７は前記前カバ４に対して外側方向（吹出し方向）に大きく突出させた構造になっている。  
本実施例３によれば、上記実施例１や２と同様の効果が得られると共に、上カバ３や底ベース２（図２参照）を小形化することができるため、更なるコスト低減を図ることができる。
【００４３】
なお、本実施例３では前記第１のダクト部１０ａは、前記ファン７の上流側に向かうに連れて前記ファン７に近付くように傾斜する傾斜部に構成したが、第１のダクト部１０ａは上記実施例１や２と同様に、第１ダクト部１０ａを軸方向に延びる構成とし、前記第２ダクト部１０ｂと平行となるように構成しても良い。  
更に、前記第１のダクト部１０ａを無くし、前カバ４から直接折り返し部１０ｃを介して前記第２のダクト部１０ｂを設ける構成とすることも可能であり、同様の効果を得ることができる。
【実施例４】
【００４４】
図１０は本発明の空気調和機の室外機の実施例４を示す図で、図７〜図９に相当する図であり、ベルマウス周りの図である。また、図１０において、図１、図２及び図７〜図９に示した上記実施例１〜３と同一符号を付した部分は同一或いは相当する部分であり、同一部分についての説明は省略する。
【００４５】
図１０に示す実施例４において、ベルマウス１０は、前カバ４の部分からファン７の軸方向下流側（送風方向）に延びる、即ち前カバ４より前方側に突出する第１のダクト部（突出ダクト部）１０ａ´と、この第１のダクト部１０ａ´の下流側から折り返し部１０ｃ´を介して折り返されて上流側に延びる第２のダクト部１０ｂ´とを有する構成としている。前記折り返し部１０ｃ´は、前記前カバ４よりも下流側に突出した位置に設けられ、下流側に向かうに連れて径方向に広がるＲ形状部に構成されている。また、前記第２ダクト部１０ｂ´の上流側端部には、上流側に向かうに連れ径方向に広がるようにＲを付けたＲ形状部１０ｄ´が形成されている。
【００４６】
このように本実施例４では、ベルマウス１０を、前カバ４から下流側に向かって第１ダクト部１０ａ´を設け、折り返し部１０ｃ´を介して、そこから上流側に向かって第２ダクト部１０ｂ´を設ける構成としている。  
ベルマウス１０を、図１０に示すような構成としても、ダクト部１０Ａの一部が前カバ４及びファン７よりも下流側に突出した構成となっているため、上記実施例１と同様の効果を得ることができる。
【実施例５】
【００４７】
図１１は本発明の空気調和機の室外機の実施例５を示す図で、図７〜図１０に相当する図であり、ベルマウス周りの図である。また、図１１において、図１、図２及び図７に示した上記実施例１と同一符号を付した部分は同一或いは相当する部分であり、同一部分についての説明は省略する。
【００４８】
上記実施例１においては、ベルマウス１０を、プレスを用いた板金加工などにより、前カバ４と一体部品として形成した例を説明したが、これに対して、図１１に示す実施例５では、前記ベルマウス１０が前記前カバ４とは別部品として製作され、この別部品として製作したベルマウス１０を前記前カバ４にねじ１２やボルトなどで取り付けるようにしたものである。
【００４９】
上記実施例１のように、ベルマウス１０は前カバ４とは、プレスを用いた板金加工などにより、一体部品として製作することがコスト低減の面からは望ましい。しかし、製作現場に設置されているプレス加工機の機能などのために一体部品としての製造が困難な場合がある。本実施例５はこのような場合に効果的なものであり、ベルマウス１０を前カバ４とは別部品として製作し、ねじ１２などで一体化するように組み合わせて構成することにより、製作可能としたものである。このようにしても上記実施例１とほぼ同様の効果を得ることができる。
【００５０】
また、本実施例５では、ベルマウス１０を前カバ４とは別部品で製作するので、前カバ４を複雑な加工で製作する必要がなくなり、加工設備も安価なものにできる。また、ベルマウスを金属製に限らず、樹脂などで製作することもでき、複雑な形状のベルマウスとすることも可能である。
【００５１】
以上説明した本発明の各実施例によれば、雨水浸入防止のための専用部品を設けることなく、ファンとベルマウスが氷で結合されるのを防止でき、しかも省エネ性能の低下も防止することのできる空気調和機の室外機を得ることができる。  
また、冬季の降雨時などに、ベルマウスとファンが氷結するのを防止できるだけでなく、ファン外周面に近接して設けるベルマウスのダクト部を必要十分な長さにすることができるので、室外機における送風性能の低下を防止でき、室外機の省エネ性能の向上を図ることも可能となる。  
従って、空気調和機の運転開始時に、ベルマウスとファンが氷結して、ファンが回転しなかったり、樹脂製のファンを用いた場合でもファンが割れてしまうような問題も解消できる。
【００５２】
なお、本発明は上述した実施例に限定されるものではなく、様々な変形例が含まれる。また、ある実施例の構成の一部を他の実施例の構成に置き換えることが可能であり、また、ある実施例の構成に他の実施例の構成を加えることも可能である。  
更に、上記した実施例は本発明を分かりやすく説明するために詳細に説明したものであり、必ずしも説明した全ての構成を備えるものに限定されるものではない。
【符号の説明】
【００５３】
１：室外機、２：底ベース、３：上カバ、４：前カバ、
５：吹出しグリル、６：熱交換器、
７：ファン、７ａ：羽根、８：モータ、９：モータクランプ、
１０，２１，４１：ベルマウス、１０Ａ，２１Ａ：ダクト部、
１０ａ，１０ａ´，２１ａ：第１のダクト部、
１０ｂ，１０ｂ´，２１ｂ：第２のダクト部、
１０ｃ，１０ｃ´，２１ｃ：折り返し部、
１０ｄ，１０ｄ´，２１ｄ，４１ａ：Ｒ形状部、
１１：隙間、１２：ねじ、
２２：パッキン、
３１：雨水、３２：氷。
【図１】
2015224825.tif 000003
【図２】
2015224825.tif 000004
【図３】
2015224825.tif 000005
【図４】
2015224825.tif 000006
【図５】
2015224825.tif 000007
【図６】
2015224825.tif 000008
【図７】
2015224825.tif 000009
【図８】
2015224825.tif 000010
【図９】
2015224825.tif 000011
【図１０】
2015224825.tif 000012
【図１１】
2015224825.tif 000013